(57)【特許請求の範囲】
【請求項１】
下記のａ、ｂ、ｃおよびｄを含有し、ａが２０〜６０重量％、ｂが１０〜５５重量％、ｃが５〜４０重量％、ｄが０．０１〜１５重量％であり、ａとｂの合計重量ａ＋ｂが４５〜８５重量％、ａとｂの重量比ａ／ｂが１／２〜５／１であることを特徴とする固形洗浄剤組成物。
ａ．式（１）で示されるアシルアミノ酸型陰イオン性界面活性剤
Ｒ1ＣＯＮＲ2ＣＨ2ＣＨ2ＳＯ3Ｍ      （１）
（式中、Ｒ1ＣＯは炭素数８〜２２の脂肪族アシル基、Ｒ2は炭素数１〜３のアルキル基、Ｍは水素原子、アルカリ金属、アルカリ土類金属、アンモニウム、有機アンモニウム、塩基性アミノ酸、タウリン塩、Ｎ−メチルタウリン塩、中性または酸性アミノ酸塩を示す。）
ｂ．平均分子量２００〜２００００のポリアルキレングリコール
ｃ．炭素数８〜２４の脂肪酸、または炭素数８〜２４のアルコール
ｄ．式（２）で示されるポリエチレングリコール脂肪酸エステル型非イオン性界面活性剤
Ｒ3ＣＯＯ（ＣＨ2ＣＨ2Ｏ）nＸ      （２）
（式中、Ｒ3ＣＯは炭素数８〜２２の脂肪族アシル基、Ｘは水素原子または炭素数８〜２２の脂肪族アシル基を示し、ｎは１〜１５０の整数を示す。）
【請求項２】
アシルアミノ酸型陰イオン性界面活性剤が粉体化物であることを特徴とする請求項１記載の固形洗浄剤組成物。
【発明の詳細な説明】
【０００１】
【発明の属する技術分野】
本発明は固形洗浄剤組成物に関し、詳しくは成形が容易で、硬水中でも起泡性に優れ、泡質が良好で、使用時のぬめり感、すすぎ時のつっぱり感がなく、洗浄後はさっぱりと、乾燥後はしっとりとした感触に肌を仕上げるとともに、キメ細かいツヤのある外観で、繰返し使用時の溶け崩れが少ない固形洗浄剤組成物に関する。
【０００２】
【従来の技術】
従来より、浴用せっけんに代表される固形洗浄剤組成物には高級脂肪酸塩が主成分として用いられてきた。しかし高級脂肪酸塩は脱脂力が強く使用後につっぱり感を伴う場合が多く、また皮膚に対する刺激も指摘されている。これらを解決するため多価アルコールや植物エキス等の保湿剤が用いられているが、すすぎ時に流れ落ちてしまうことから十分な効果は得られていない。また高級脂肪酸塩は使用する水や湯の硬度により泡立ちが阻害され、せっけんカスが発生するという問題があった。
【０００３】
これらの問題点を解決すべく、高級脂肪酸塩に陰イオン性界面活性剤、両性界面活性剤などを添加する検討がされてきた。例えば特開平２−１５５９９２号公報には、高級脂肪酸塩とラウロイルメチルタウリン酸ナトリウムを組み合わせた低刺激性固形洗浄剤が、特開平２−１５５９９６号公報には、高級脂肪酸塩とベタイン型両性界面活性剤を組み合わせた低刺激性固形洗浄剤が開示されている。
しかし、これらの組成物は繰り返し使用時の溶け崩れが早く、起泡性やすすぎ時のつっぱり感、乾燥後のしっとり感に関しても、十分なものではなかった。
【０００４】
また高級脂肪酸塩以外の界面活性剤を主成分として用いた固形洗浄剤組成物として、特開昭５９−１５２９９９号公報、特開平８−２７４８２号公報、特開平９−１２５１００号公報には、アシルグルタミン酸塩やアシルイセチオン酸塩などのアミノ酸系洗浄成分を主成分とする固形洗浄剤組成物が、さらに特開平８−２４５９８１号公報には、Ｎ−アシルタウリン塩を高級脂肪酸または高級アルコールと組み合わせた固形洗浄剤組成物が開示されている。しかし、これらの組成物は成形時に十分な硬さが得られず、キメが粗く、繰り返し使用時の溶け崩れが早い。また使用感に関しても洗浄時にぬめり感が残る、洗浄後にさっぱり感が得られない等の問題があった。
【０００５】
【発明が解決しようとする課題】
本発明は上記課題を解決し、成形が容易で、硬水中でも起泡性に優れ、泡質が良好で、使用時のぬめり感、すすぎ時のつっぱり感がなく、洗浄後はさっぱりと、乾燥後はしっとりとした感触に肌を仕上げるとともに、キメ細かいツヤのある外観で、繰返し使用時の溶け崩れが少ない固形洗浄剤組成物を提供することを目的とする。
【０００６】
【課題を解決するための手段】
すなわち本発明は、
（Ａ）下記のａ、ｂ、ｃおよびｄを含有し、ａが２０〜６０重量％、ｂが１０〜５５重量％、ｃが５〜４０重量％、ｄが０．０１〜１５重量％であり、ａとｂの合計重量ａ＋ｂが４５〜８５重量％、ａとｂの重量比ａ／ｂが１／２〜５／１であることを特徴とする固形洗浄剤組成物
ａ．式（１）で示されるアシルアミノ酸型陰イオン性界面活性剤の粉体化物
Ｒ1ＣＯＮＲ2ＣＨ2ＣＨ2ＳＯ3Ｍ      （１）
（式中、Ｒ1ＣＯは炭素数８〜２２の脂肪族アシル基、Ｒ2は炭素数１〜３のアルキル基、Ｍは水素原子、アルカリ金属、アルカリ土類金属、アンモニウム、有機アンモニウム、塩基性アミノ酸、タウリン塩、Ｎ−メチルタウリン塩、中性または酸性アミノ酸塩を示す。）
ｂ．平均分子量２００〜２００００のポリアルキレングリコール
ｃ．炭素数８〜２４の脂肪酸、または炭素数８〜２４のアルコール
ｄ．式（２）で示されるポリエチレングリコール脂肪酸エステル型非イオン性界面活性剤
Ｒ3ＣＯＯ（ＣＨ2ＣＨ2Ｏ）nＸ      （２）
（式中、Ｒ3ＣＯは炭素数８〜２２の脂肪族アシル基、Ｘは水素原子または炭素数８〜２２の脂肪族アシル基を示し、ｎは１〜１５０の整数を示す。）
（Ｂ）アシルアミノ酸型陰イオン性界面活性剤が粉体化物であることを特徴とする前記（Ａ）記載の固形洗浄剤組成物である。
【０００７】
【発明の実施の形態】
本発明のａ成分である式（１）で示されるアシルアミノ酸型陰イオン性界面活性剤において、Ｒ1ＣＯは炭素数８〜２２の脂肪族アシル基であり、具体的にはオクタノイル基、ノナノイル基、デカノイル基、ウンデカノイル基、ドデカノイル基、テトラデカノイル基、ヘキサデカノイル基、オクタデカノイル基、エイコサノイル基、ドコサノイル基、イソステアロイル基等の飽和脂肪族アシル基、オクタデセノイル基等の不飽和脂肪族アシル基およびこれらの混合物であるヤシ油脂肪族アシル基、牛脂脂肪族アシル基、硬化牛脂脂肪族アシル基等の混合脂肪族アシル基が挙げられ、好ましくはドデカノイル基、テトラデカノイル基、ヘキサデカノイル基、オクタデカノイル基、オクタデセノイル基、ヤシ油脂肪族アシル基が挙げられる。炭素数が８未満の場合は皮膚への刺激が強くなり、炭素数が２２を超える場合は起泡性が低下する。
【０００８】
Ｒ2は炭素数１〜３のアルキル基であり、具体的にはメチル基、エチル基、プロピル基が挙げられ、好ましくはメチル基である。炭素数が３を超える場合は起泡性が低下する。
【０００９】
Ｍは水素原子、アルカリ金属、アルカリ土類金属、アンモニウム、有機アンモニウム、塩基性アミノ酸、タウリン塩、Ｎ−メチルタウリン塩、中性または酸性アミノ酸塩である。具体的には、アルカリ金属としてはナトリウム、カリウムが、アルカリ土類金属としては１／２カルシウム、１／２マグネシウムが、有機アンモニウムとしてはトリエタノールアンモニウムが挙げられる。またタウリン塩、Ｎ−メチルタウリン塩、中性または酸性アミノ酸塩としてはこれらのアルカリ金属塩、アルカリ土類金属塩、アンモニウム塩、有機アンモニウム塩が挙げられ、具体的にはタウリン塩としてはタウリンナトリウム、タウリンカリウム、タウリン１／２カルシウム、タウリン１／２マグネシウム、タウリンアンモニウム、タウリントリエタノールアミンが、Ｎ−メチルタウリン塩としては、Ｎ−メチルタウリンナトリウム、Ｎ−メチルタウリンカリウム、Ｎ−メチルタウリン１／２カルシウム、Ｎ−メチルタウリンアンモニウムが、中性アミノ酸塩としては、グリシンナトリウム、グリシン１／２マグネシウム、ザルコシンアンモニウム、β−アラニンジエタノールアミンが、酸性アミノ酸塩としてはグルタミン酸二ナトリウム、グルタミン酸二アンモニウム、アスパラギン酸二モノエタノールアミンが挙げられ、好ましくはナトリウム、タウリンナトリウム、Ｎ−メチルタウリンナトリウムである。
【００１０】
本発明の組成物においてａ成分の含有量は２０〜６０重量％、好ましくは２５〜６０重量％、更に好ましくは３０〜６０重量％である。２０重量％未満の場合は起泡性が低下し、すすぎ時のつっぱり感があり、乾燥後のしっとり感が不十分である。６０重量％を超える場合は成形時に十分な硬さが得られず、キメが粗くなる。また泡の持続性が低下し、使用時のぬめり感が残り、洗浄後のさっぱり感が不十分である。さらに繰り返し使用時の溶け崩れが早くなる。
【００１１】
本発明においてａ成分は好ましくはあらかじめスプレードライヤー等で粉体化して用いる。粉体化物の形状や大きさについて特に制限はなく、パウダー状、顆粒状、フレーク状等にして用いる。ａ成分の粉体化物を用いて組成物を調製した場合、調製時間の短縮、水分調整等の工程管理が容易になるほか、品質のばらつきが抑えられる。
【００１２】
本発明のｂ成分であるポリアルキレングリコールは、例えばポリエチレングリコール、ポリプロピレングリコール、ポリブチレングリコール、ポリオキシエチレンポリオキシプロピレングリコール、ポリエチレングリコールモノブチルエーテルなどが挙げられるが、好ましくはポリエチレングリコールである。またｂ成分の平均分子量は２００〜２００００、好ましくは６００〜６０００である。平均分子量が２００未満の場合は成形時に十分な硬さが得られず、繰り返し使用時の溶け崩れが早くなる。平均分子量が２００００を超える場合は、流動性がなくなり成形が困難になる。
【００１３】
本発明の組成物においてｂ成分は１０〜５５重量％、好ましくは１５〜５５重量％、更に好ましくは２０〜５０重量％である。１０重量％未満の場合は成形時に十分な硬さが得られず、キメが粗くなる。また使用時のぬめり感が残り、洗浄後のさっぱり感が不十分である。さらに繰り返し使用時の溶け崩れが早くなる。５５重量％を超える場合は、流動性がなくなり成形が困難になり、起泡性が低下する。またすすぎ時のつっぱり感があり、乾燥後のしっとり感が不十分である。
【００１４】
本発明の組成物において、成分ａと成分ｂの合計重量ａ＋ｂは４５〜８５重量％、好ましくは５０〜７５重量％であり、成分ａと成分ｂの重量比ａ／ｂは１／２〜５／１、好ましくは１／１〜４／１である。
ａ＋ｂが４５重量％未満の場合は洗浄後のさっぱり感が不十分であり、８５重量％を越える場合は使用時のぬめり感が残り、繰り返し使用時の解け崩れが早くなる。ａ／ｂが５／１を超える場合は使用時のぬめり感が残り、洗浄後のさっぱり感が不十分である。また繰り返し使用時の溶け崩れが早くなる。１／２未満の場合は起泡性が低下し、すすぎ時のつっぱり感があり、乾燥後のしっとり感が不十分である。
【００１５】
本発明のｃ成分は炭素数８〜２４の脂肪酸、または炭素数８〜２４のアルコールである。
炭素数８〜２４の脂肪酸としてはオクタン酸、ノナン酸、デカン酸、ウンデカン酸、ドデカン酸、テトラデカン酸、ヘキサデカン酸、オクタデカン酸、イコサン酸、ドコサン酸、テトラコサン酸、イソオクタデカン酸等の飽和脂肪酸、ヘキサデセン酸、オクタデセン酸、オクタデカジエン酸、オクタデカトリエン酸、エイコサテトラエン酸等の不飽和脂肪酸、ヒドロキシオクタデカン酸等のヒドロキシカルボン酸、およびこれらの混合物であるヤシ油脂肪酸、牛脂脂肪酸、硬化牛脂脂肪酸等の混合脂肪酸が挙げられ、好ましくはドデカン酸、テトラデカン酸、ヘキサデカン酸、オクタデカン酸、オクタデセン酸、ヤシ油脂肪酸が挙げられる。炭素数が８未満の場合は皮膚への刺激が強くなり、炭素数が２２を超える場合は起泡性が低下する。
【００１６】
また炭素数８〜２４のアルコールとしては、オクタノール、ノナノール、デカノール、ウンデカノール、ドデカノール、テトラデカノール、ヘキサデカノール、オクタデカノール、イコサノール、ドコサノール、テトラコサノール、ヘキサデセノール、オクタデセノール等が挙げられ、好ましくはドデカノール、テトラデカノール、ヘキサデカノール、オクタデカノール、オクタデセノールが挙げられる。炭素数が８未満の場合は皮膚への刺激が強くなり、炭素数が２２を超える場合は起泡性が低下する。
【００１７】
本発明のｃ成分は、前述の脂肪酸またはアルコールから選ばれて用いられるが、使用時のぬめり感、洗浄後のさっぱり感等の使用感の点から、脂肪酸を用いることがより好ましい。
【００１８】
本発明の組成物においてｃ成分は５〜４０重量％、好ましくは８〜３５重量％、更に好ましくは１０〜３０重量％である。５重量％未満の場合は泡質が悪く、繰り返し使用時の溶け崩れが早くなる。４０重量％を超える場合は起泡性が低下し、使用時のぬめり感が残り、洗浄後のさっぱり感が不十分である。
【００１９】
本発明のｄ成分である式（２）で示されるポリエチレングリコール脂肪酸エステル型非イオン性界面活性剤において、Ｒ3ＣＯは炭素数８〜２２の脂肪族アシル基であり、具体的にはオクタノイル基、ノナノイル基、デカノイル基、ウンデカノイル基、ドデカノイル基、テトラデカノイル基、ヘキサデカノイル基、オクタデカノイル基、エイコサノイル基、ドコサノイル基、イソステアロイル基等の飽和脂肪族アシル基、オクタデセノイル基等の不飽和脂肪族アシル基およびこれらの混合物であるヤシ油脂肪族アシル基、牛脂脂肪族アシル基、硬化牛脂脂肪族アシル基等の混合脂肪族アシル基が挙げられ、好ましくはドデカノイル基、テトラデカノイル基、ヘキサカノロイル基、オクタデカノイル基、オクタデセノイル基、ヤシ油脂肪族アシル基が挙げられる。炭素数が８未満の場合は皮膚への刺激が強くなり、炭素数が２２を超える場合は起泡性が低下する。
【００２０】
Ｘは水素原子または炭素数８〜２２の脂肪族アシル基を示す。脂肪族アシル基としては、具体的にはオクタノイル基、ノナノイル基、デカノイル基、ウンデカノイル基、ドデカノイル基、テトラデカノイル基、ヘキサデカノイル基、オクタデカノイル基、エイコサノイル基、ドコサノイル基、イソステアロイル基等の飽和脂肪族アシル基、オクタデセノイル基等の不飽和脂肪族アシル基およびこれらの混合物であるヤシ油脂肪族アシル基、牛脂脂肪族アシル基、硬化牛脂脂肪族アシル基等の混合脂肪族アシル基が挙げられ、好ましくは水素原子、ドデカノイル基、テトラデカノイル基、ヘキサデカノイル基、オクタデカノイル基、オクタデセノイル基、ヤシ油脂肪族アシル基である。脂肪族アシル基の炭素数が８未満の場合は成形時の膨らみを抑えることができず、また使用時にぬめり感が残り、炭素数が２２を超える場合は調製時に流動性がなくなり成形が困難になる。
【００２１】
ｎはエチレンオキシドの付加モル数であり１〜１５０の整数であり、好ましくは１〜１００、更に好ましくは１〜５０である。ｎが１５０を超える場合は使用時にぬめり感が残る。
【００２２】
ｄ成分は、具体的にはモノラウリン酸ポリエチレングリコール（９モル）、モノステアリン酸ポリエチレングリコール（３５モル）、モノオレイン酸ポリエチレングリコール（２０モル）、モノイソステアリン酸ポリエチレングリコール（１０モル）、ジステアリン酸ポリエチレングリコール（４０モル）、ジラウリン酸エチレングリコール、ジミリスチン酸エチレングリコール、ジパルミチン酸エチレングリコール、ジステアリン酸エチレングリコール等が挙げられ、好ましくはモノラウリン酸ポリエチレングリコール（９モル）、モノステアリン酸ポリエチレングリコール（３５モル）、モノオレイン酸ポリエチレングリコール（２０モル）、ジステアリン酸エチレングリコールが挙げられる。
【００２３】
本発明の組成物においてｄ成分は０．０１〜１５重量％、好ましくは０．０５〜１２重量％、更に好ましくは０．１〜１０重量％である。０．０１重量％未満の場合は、成形時に調製物が膨らみ温度変化によるワレが生じやすく、ツヤが損なわれる。また１５重量％を超える場合は起泡性が低下し、使用時のぬめり感が残り、洗浄後のさっぱり感が不十分である。
【００２４】
本発明の洗浄剤組成物は前記の成分以外に、一般に洗浄剤に用いられる成分、例えば、油性基剤、低級アルコール、保湿剤、水溶性高分子、シリコーン誘導体、陰イオン性界面活性剤、両性界面活性剤、陽イオン性界面活性剤、非イオン性界面活性剤、トニック剤、ｐＨ調整剤、防腐剤、キレート剤、色素、香料等を本発明の効果、性能を損なわない範囲で必要に応じて含有することができる。
【００２５】
【実施例】
以下の実施例によって本発明を更に詳細に説明する。
実施例１〜７
表１に示す成分および含有量で７種類の固形洗浄剤組成物を次のように調製し、その特性を評価した。表中の含有量は重量％を示す。
各原料を８０〜８５℃で均一になるまで溶解、攪拌した後、これを型に入れ、室温まで冷却し固形洗浄剤組成物を調製した。
評価結果も併せて示す。
【００２６】
<ａ成分>
スプレードライヤーを用いて調製した以下に示す４種類のパウダー状のアシルアミノ酸型陰イオン性界面活性剤を用いた。
<ａ−１成分>
式（１）においてＲ1ＣＯがヤシ油脂肪族アシル基、Ｒ2がメチル基、Ｍがナトリウムである化合物。
<ａ−２成分>
式（１）においてＲ1ＣＯがヤシ油脂肪族アシル基、Ｒ2がメチル基、Ｍがカリウムである化合物。
<ａ−３成分>
式（１）においてＲ1ＣＯがオクタデカノイル基、Ｒ2がメチル基、Ｍがナトリウムである化合物。
<ａ−４成分>
式（１）においてＲ1ＣＯがヤシ油脂肪族アシル基、Ｒ2がメチル基、Ｍがタウリンナトリウムである化合物。
【００２７】
<ｂ成分>
以下に示す３種類のポリアルキレングリコールを用いた。
<ｂ−１成分>
平均分子量が２０００であるポリエチレングリコール。
<ｂ−２成分>
平均分子量が６０００であるポリエチレングリコール。
<ｂ−３成分>
平均分子量が２００００であるポリエチレングリコール。
【００２８】
<ｃ成分>
以下のｃ−１〜ｃ−４に示す４種類の脂肪酸とｃ−５に示すアルコールを用いた。
<ｃ−１成分>
ドデカン酸（ラウリン酸：「ＮＡＡ−１２２」日本油脂（株）製）
<ｃ−２成分>
テトラデカン酸（ミリスチン酸：「ＮＡＡ−１４２」日本油脂（株）製）
<ｃ−３成分>
ヘキサデカン酸（パルミチン酸：「ＮＡＡ−１６０」日本油脂（株）製）
<ｃ−４成分>
オクタデカン酸（ステアリン酸：「ＮＡＡ−１８０」日本油脂（株）製）
<ｃ−５成分>
オクタデカノール（ステアリルアルコール：「ＮＡＡ−４５」日本油脂（株）製）
【００２９】
<ｄ成分>
以下に示す３種類のポリエチレングリコール脂肪酸エステル型非イオン性界面活性剤を用いた。
<ｄ−１成分>
式（２）においてＲ3ＣＯがドデカノイル基、Ｘが水素原子、ｎ＝９である化合物。
<ｄ−２成分>
式（２）においてＲ3ＣＯがオクタデカノイル基、Ｘが水素原子、ｎ＝３５である化合物。
<ｄ−３成分>
式（２）においてＲ3ＣＯがオクタデカノイル基、Ｘがオクタデカノイル基、ｎ＝１である化合物。
【００３０】
<その他の成分>
グリセリン：「ＲＧ  コ」日本油脂（株）製
ジプロピレングリコール：「ＤＰＧ−ＦＣ」旭硝子（株）製
ヤシ油脂肪酸ナトリウム（比較例の調製に使用）：「ノンサールＬＮ−１」日本油脂（株）製
Ｎ−ラウロイルタウリンＮａ（比較例の調製に使用）：「ダイヤポンＣＴ」日本油脂（株）製
【００３１】
【表１】
0004876344.tif 000002
【００３２】
比較例１〜８
表２および表３に示す含有量で、調製手順などについては実施例１〜７と同様にして、比較例の固形洗浄剤組成物を調製し、その特性を評価した。評価結果を併せて示す。
【００３３】
【表２】
0004876344.tif 000003
【００３４】
【表３】
0004876344.tif 000004
【００３５】
表１〜表３の組成物の評価は、下記の方法で行った。
（１）成形の容易性
上記方法で調製した製品について、成形の容易性について次の３段階で評価した。◎または〇の評価の組成物を成形が容易な洗浄剤と評価した。
◎：型に流し込みも容易であり放冷後十分な硬さが得られた。
〇：型への流し込みができたが、十分な硬さを得るのに１〜２日を要した。
×：型への流し込みが困難であり、十分な硬さを得るのに３日以上要する、または十分な硬さが得られない。
【００３６】
（２）外観
外観のキメ細かさ、ツヤについて次の３段階で評価した。
◎または〇を外観が良好な洗浄剤と評価した。
◎：キメが細かくツヤがある。
〇：キメは細かいがややツヤがない。
×：キメが粗くツヤがない。
【００３７】
（３）起泡性
試料濃度１重量％の水溶液をそれぞれイオン交換水、人工硬水（ＣａＣＯ3 ７０ｐｐｍ）で調整し、ロスマイルス法により、２５℃で試料投入直後と５分後の泡の高さを測定した。試料投入直後の泡の高さが１５０ｍｍ以上のもので、次の式より求められる泡の持続率が９０％以上のものを泡立ちのよい洗浄剤と評価した。
泡の持続率（％）＝［（５分後の泡の高さ）／（試料投入直後の泡の高さ）］×１００
【００３８】
（４）泡質
男女各１０名をパネラーとし、固形洗浄剤を用いて手洗い試験を行い、泡立てたときの泡を観察し、泡質を評価した。
泡が細かくクリーミーであると感じた場合を２点、泡がやや粗いと感じた場合を１点、泡が粗いと感じた場合を０点として、２０名の合計値が３０点以上のものを泡質の良好な洗浄剤と評価した。
【００３９】
（５）使用時のぬめり感
男女各１０名をパネラーとし、固形洗浄剤を用いて手洗い試験を行い、使用時のぬめり感を評価した。
ぬめり感を感じなかった場合を０点、ややぬめり感があると感じた場合を１点、ぬめり感があり、すすぎに時間がかかると感じた場合を２点として、２０名の合計値が１０点以下のものをぬめり感のない洗浄剤と評価した。
【００４０】
（６）すすぎ時のつっぱり感
男女各１０名をパネラーとし、固形洗浄剤を用いて手洗い試験を行い、すすぎ時のつっぱり感を評価した。
つっぱり感を感じなかった場合を０点、ややつっぱり感があると感じた場合を１点、手がつっぱると感じた場合を２点として２０名の合計値が１０点以下のものをつっぱり感のない洗浄剤と評価した。
【００４１】
（７）洗浄後のさっぱり感
男女各１０名をパネラーとし、固形洗浄剤を用いて手洗い試験を行い、洗浄後のさっぱり感を評価した。
非常にさっぱりとすると感じた場合を２点、あまりさっぱりしないと感じた場合を１点、ぬるついて全くさっぱりしないと感じた場合を０点として２０名の合計値が３０点以上のものをさっぱり感のある洗浄剤と評価した。
【００４２】
（８）乾燥後のしっとり感
男女各１０名をパネラーとし、固形洗浄剤を用いて手洗い試験を行い、十分にすすぎ、タオルで拭き取ったあとのしっとり感を評価した。
しっとりとしさらさらすると感じた場合を２点、しっとり感があまり得られないと感じた場合を１点、つっぱると感じた場合を０点とし、２０名の合計値が３０点以上のものをしっとりとしさらさら感のある洗浄剤と評価した。
【００４３】
（９）繰返し使用試験
男女各１０名をパネラーとし，固形洗浄剤を１週間浴室にて使用した。
溶け崩れが認められなかった場合を２点、やや溶け崩れが早いと感じた場合を１点、溶け崩れが早いと感じた場合を０点とし、２０名の合計値が３０点以上のものを溶け崩れのない洗浄剤と評価した。
【００４４】
本発明の実施例１〜７の組成物は、成形の容易性、外観、起泡性、泡質に優れ、使用時のぬめり感やすすぎ時のつっぱり感がなく、洗浄後にさっぱりとした感触と乾燥後にさらさらした感触を与え、また繰返し使用時に溶け崩れの少ない固形洗浄剤組成物であった。
【００４５】
一方、比較例１の組成物はａ成分の含有量が多いため、成形時に十分な硬さが得られないとともにキメが粗く、泡の持続性が低下する。また使用時のぬめり感が残り、洗浄後のさっぱり感が得られず、繰り返し使用時の溶け崩れが早い。比較例２の組成物はａ成分の含有量が少ないため、起泡性が低下し、すすぎ時のつっぱり感があり、乾燥後のしっとり感が得られない。比較例３の組成物はｂ成分の含有量が多いため、流動性がなく成形が困難であった。また起泡性が低下し、すすぎ時のつっぱり感があり、乾燥後のしっとり感が得られない。比較例４の組成物はｂ成分の含有量が少ないため、成形時に十分な硬さが得られないとともにキメが粗く、使用時のぬめり感が残り、洗浄後のさっぱり感が得られない。また繰り返し使用時の溶け崩れが早い。比較例５の組成物はｃ成分の含有量が多いため、起泡性が低下し、使用時のぬめり感が残り、洗浄後のさっぱり感が得られない。比較例６の組成物はｃ成分の含有量が少ないため、泡質が悪く、繰り返し使用時の溶け崩れが早い。比較例７の組成物はｄ成分の含有量が多いため、起泡性が低下し、使用時のぬめり感が残り、洗浄後のさっぱり感が得られない。比較例８の組成物はｄ成分を含有していないため、成形時に調製物が膨らみ、冷却後にひび割れが生じた。またツヤがなくざらざらとした手触りであった。比較例９の組成物はａ成分とｂ成分の合計含有量が多いため、使用時のぬめり感が残り、また繰り返し使用時の解け崩れが早い。比較例１０の組成物はａ成分とｂ成分の合計含有量が少ないため、洗浄後のさっぱり感が得られない。比較例１１の組成物はａ／ｂの比率が５／１を超えるため、使用時のぬめり感が残り、洗浄後のさっぱり感が得られない。また繰り返し使用時の溶け崩れが早い。比較例１２の組成物はａ／ｂの比率が１／２を下回るため、起泡性が低下し、すすぎ時のつっぱり感があり、乾燥後のしっとり感が得られない。比較例１３はａ成分のＲ2が水素原子である本発明のａ成分とは異なるＮ−アシルタウリン塩と高級脂肪酸からなる組成物であるが、成形時に十分な硬さが得られないとともにキメが粗く、使用時のぬめり感が残り、洗浄後のさっぱり感が得られない。また繰り返し使用時の解け崩れが早い。比較例１４は高級脂肪酸塩に本発明のａ成分を加えた組成物であるが、人工硬水中で起泡性が低下し、すすぎ時のつっぱり感があり、乾燥後のしっとり感が得られない。
【００４６】
実施例８
以下に示す組成で洗顔用固形洗浄剤を調製し、成形の容易性、外観、起泡性については前述の実施例、比較例と同様の方法で、泡質、使用時のぬめり感、すすぎ時のつっぱり感、洗浄後のさっぱり感、乾燥後のしっとり感、繰り返し使用試験については組成物で洗顔を行い評価した。
【００４７】
0004876344.tif 000005
【００４８】
この洗顔用固形洗浄剤組成物を評価したところ、成形が容易で、キメ細かいツヤのある外観を有し、水の硬度に関係なく起泡性、泡質に優れ、使用時のぬめり感、すすぎ時のつっぱり感がなく、さっぱりとした感触を有し、乾燥後の肌をさらさらした感触に仕上げるとともに、繰返し使用時に溶け崩れの少ない固形洗浄剤組成物であった。評価結果を以下に示す。
0004876344.tif 000006
【００４９】
【発明の効果】
本発明の固形洗浄剤組成物は、成形が容易で、硬水中でも起泡性に優れ、泡質が良好で、使用時のぬめり感、すすぎ時のつっぱり感がなく、洗浄後はさっぱりと、乾燥後はしっとりとした感触に肌を仕上げるとともに、キメ細かいツヤのある外観で繰返し使用時の溶け崩れが少なく、手肌のみならず洗顔用としても使用できる。